(57)【要約】【課題】片手で焼き網を上下動させることができるコンロ装置を提供する。【解決手段】ハンドル部材１５０の第二部材１５２に連結されている第一部材１５１は回動支点軸１６０に固定されており、回動支点軸１６０を中心として回動可能である。第二部材１５２を第一開口部１７１内において上下動させると、第一部材１５１は回動支点軸１６０を中心として時計方向または反時計方向に回動する。第一部材１５１の動きは第一部材１５１の端部１５１Ａ、連結部材１４０、支持棒１３１を介して焼き網１２０に伝えられる。このため、使用者は第二部材１５２を第一開口部１７１内において上下動させることにより、片手で焼き網１２０の高さを変えることができる。【選択図】図２
0003131659.tif 000002
【実用新案登録請求の範囲】
【請求項１】
相互に対向する一対の第一の内面と、相互に対向する一対の第二の内面と、底面とを備え、上面が開口している筐体と、
焼き網と、
前記焼き網を前記筐体の前記上面に対して上下方向に移動させる焼き網上下動機構と、
からなるコンロ装置であって、
前記焼き網上下動機構は、
前記一対の第一の内面の各々に対応する一対の支持棒であって、前記第一の内面に沿って上下動可能であるように、かつ、相互に隔置して前記筐体に対して支持されている一対の支持棒と、
前記一対の支持棒の各々の下端を連結する連結部材と、
一端が前記連結部材に対して摺動可能に前記連結部材に接触している一対の第一部材と、前記一対の第一部材の他端を相互に連結する第二部材とからなるハンドル部材と、
前記一対の第一の内面に対して垂直方向に延び、前記一対の第一の内面に対して回動可能であり、かつ、前記一対の第一の内面に対して垂直方向に移動可能である回動支点軸と、
からなり、
前記一対の支持棒の各々は上端において前記焼き網を取り外し可能に支持しており、
前記筐体の前記一対の第二の内面の一方には、前記筐体の上下方向に延びる第一開口部と、前記第一開口部から水平方向に延びる複数の第二開口部とからなる開口部が形成されており、
前記複数の第二開口部は前記筐体の高さ方向においてそれぞれ異なる高さに形成されており、
前記ハンドル部材の前記第二部材は前記筐体の外部に位置し、前記一対の第一部材の各々は前記開口部を介して前記筐体の外部と内部とにわたって延びており、かつ、前記回動支点軸に対して固定的に接続され、前記回動支点軸を中心として回動可能であるコンロ装置。
【請求項２】
前記連結部材はＵ字を横向きにした形状をなしており、前記一対の第一部材の前記一端は前記Ｕ字型の前記連結部材の内部に支持されていることを特徴とする請求項１に記載のコンロ装置。
【請求項３】
相互に対向する一対の第一の内面と、相互に対向する一対の第二の内面と、底面とを備え、上面が開口している筐体と、
焼き網と、
前記焼き網を前記筐体の前記上面に対して上下方向に移動させる焼き網上下動機構と、
からなるコンロ装置であって、
前記焼き網上下動機構は、
前記一対の第一の内面の各々に対応する支持棒であって、前記第一の内面に沿って上下動可能であるように前記筐体に対して支持されている支持棒と、
一端が前記支持棒の下端において前記支持棒に対して回動可能に前記支持棒に接続されている一対の第一部材と、前記一対の第一部材の他端を相互に連結する第二部材とからなるハンドル部材と、
前記焼き網を高い位置に維持するために、前記ハンドル部材の前記第二部材を前記高い位置に応じた位置に保持する手段と、
からなり、
前記支持棒の各々は上端において前記焼き網を取り外し可能に支持しており、
前記筐体の前記一対の第二の内面の一方には、前記支持棒が通過可能な開口部が形成されており、
前記ハンドル部材の前記第二部材は前記筐体の外部に位置し、前記一対の第一部材の各々は前記開口部を介して前記筐体の外部と内部とにわたって延びており、かつ、前記開口部を支点として回動可能であるコンロ装置。
【考案の詳細な説明】
【技術分野】
【０００１】
本考案はコンロ装置に関する。
【背景技術】
【０００２】
発熱源（炭火、ガス炎など）に対して焼き網を上下動させることができるコンロ装置が従来から提案されている。その一例として、実開昭４８−１３３５６号公報に記載されているものがある。
【０００３】
図４は同公報に記載されているコンロ装置１の斜視図である。
【０００４】
図４に示すコンロ装置１は、基台フレーム１０と、焼き網２０と、基台フレーム１０に対して焼き網２０を上下動させる焼き網上下動機構３０と、から構成されている。
【０００５】
なお、以下の説明の必要上、図４の左側をコンロ装置１の前方、図４の右側をコンロ装置１の後方とする。
【０００６】
焼き網上下動機構３０は、上端が焼き網２０の後端に回動自在に連結され、下端が基台フレーム１０に対して前後方向に摺動可能であるように基台フレーム１０に連結されている一対の第一部材３１と、上端が焼き網２０の前端に回動自在に連結され、下端が基台フレーム１０の後方において基台フレーム１０に対して回動自在に連結されている一対の第二部材３２と、から構成されている。
【０００７】
第一部材３１の各々と第二部材３２の各々とはＸ字型に配置されており、第一部材３１の各々と第二部材３２の各々との交点においてそれぞれ回動自在に連結されている。
【０００８】
使用者は、第一部材３１の各々の下端に取り付けられているツマミ３３を持って、第一部材３１の各々をコンロ装置１の前後方向に摺動させることにより、焼き網２０を上下動させることができるようになっている。
【考案の開示】
【考案が解決しようとする課題】
【０００９】
しかしながら、図４に示した従来のコンロ装置１においては、焼き網２０を上下動させる際には、使用者は左右一対のツマミ３３の双方を持たなければならない。このため、片手がふさがり、もう一方の片手しか使えないような場合には、左右一対のツマミ３３の双方を持つことができず、焼き網２０を上下動させることができない、という問題点が存在していた。
【００１０】
特に、料理の最中には、片手がふさがることは多く、このために、焼き網２０を上下動させることができないことが多かった。
【００１１】
本考案は以上のような問題点に鑑みてなされたものであり、片手でも焼き網を上下動させることができるコンロ装置を提供することを目的とする。
【課題を解決するための手段】
【００１２】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている考案の技術的範囲の解釈に用いるべきものではない。
【００１３】
上記の目的を達成するため、本考案は、相互に対向する一対の第一の内面（１０１）と、相互に対向する一対の第二の内面（１０２）とを備え、上面（１０３）が開口している筐体（１１０）と、焼き網（１２０）と、前記焼き網（１２０）を前記筐体（１１０）の前記上面（１０３）に対して上下方向に移動させる焼き網上下動機構（１３０）と、からなるコンロ装置（１００）であって、前記焼き網上下動機構（１３０）は、前記一対の第一の内面（１０１）の各々に対応する一対の支持棒（１３１）であって、前記第一の内面（１０１）に沿って上下動可能であるように、かつ、相互に隔置して前記筐体（１１０）に対して支持されている一対の支持棒（１３１）と、前記一対の支持棒（１３１）の各々の下端を連結する連結部材（１４０）と、一端（１５１Ａ）が前記連結部材（１４０）に対して摺動可能に前記連結部材（１４０）に接触している一対の第一部材（１５１）と、前記一対の第一部材（１５１）の他端を相互に連結する第二部材（１５２）とからなるハンドル部材（１５０）と、前記一対の第一の内面（１０１）に対して垂直方向に延び、前記一対の第一の内面（１０１）に対して回動可能であり、かつ、前記一対の第一の内面（１０１）に対して垂直方向に移動可能である回動支点軸（１６０）と、からなり、前記一対の支持棒（１３１）の各々は上端において前記焼き網（１２０）を取り外し可能に支持しており、前記筐体（１１０）の前記一対の第二の内面（１０２）の一方には、前記筐体（１１０）の上下方向に延びる第一開口部（１７１）と、前記第一開口部（１７１）から水平方向に延びる複数の第二開口部（１７２）とからなる開口部（１７０）が形成されており、前記複数の第二開口部（１７２）は前記筐体（１１０）の高さ方向においてそれぞれ異なる高さに形成されており、前記ハンドル部材（１５０）の前記第二部材（１５２）は前記筐体（１１０）の外部に位置し、前記一対の第一部材（１５１）の各々は前記開口部（１７０）を介して前記筐体（１１０）の外部と内部とにわたって延びており、かつ、前記回動支点軸（１６０）に対して固定的に接続され、前記回動支点軸（１６０）を中心として回動可能であるコンロ装置（１００）を提供する。
【００１４】
前記連結部材（１４０）はＵ字を横向きにした形状をなしており、前記一対の第一部材（１５１）の前記一端（１５１Ａ）は前記Ｕ字型の前記連結部材（１４０）の内部に支持されていることが好ましい。
【００１５】
さらに、本考案は、相互に対向する一対の第一の内面（１０１）と、相互に対向する一対の第二の内面（１０２）と、底面（１０４）とを備え、上面（１０３）が開口している筐体（２１０）と、焼き網（１２０）と、前記焼き網（１２０）を前記筐体（２１０）の前記上面（１０３）に対して上下方向に移動させる焼き網上下動機構（２３０）と、からなるコンロ装置（２００）であって、前記焼き網上下動機構（２３０）は、前記一対の第一の内面（１０１）の各々に対応する支持棒（２３１）であって、前記第一の内面（１０１）に沿って上下動可能であるように前記筐体（２１０）に対して支持されている支持棒（２３１）と、一端が前記支持棒（２３１）の下端において前記支持棒（２３１）に対して回動可能に前記支持棒（２３１）に接続されている一対の第一部材（２５１）と、前記一対の第一部材（２５１）の他端を相互に連結する第二部材（２５２）とからなるハンドル部材（２５０）と、前記焼き網（１２０）を高い位置に維持するために、前記ハンドル部材（２５０）の前記第二部材（２５２）を前記高い位置に応じた位置に保持する手段（２８０）と、からなり、前記支持棒（２３１）の各々は上端において前記焼き網（１２０）を取り外し可能に支持しており、前記筐体（２１０）の前記一対の第二の内面（１０２）の一方には、前記支持棒（２３１）が通過可能な開口部（２７０）が形成されており、前記ハンドル部材（２５０）の前記第二部材（２５２）は前記筐体（２１０）の外部に位置し、前記一対の第一部材（２５１）の各々は前記開口部（２７０）を介して前記筐体（２１０）の外部と内部とにわたって延びており、かつ、前記開口部（２７０）を支点として回動可能であるコンロ装置（２００）を提供する。
【考案の効果】
【００１６】
本考案に係るコンロ装置によれば、本コンロ装置の使用者は、片手でハンドル部材の第二部材を操作することが可能であるため、図４に示した従来のコンロ装置１とは異なり、片手で焼き網を上下動させることができる。
【００１７】
さらに、複数の第二開口部が形成されているため、焼き網の高さを複数の第二開口部の何れかに応じて選択することができる。
【考案を実施するための最良の形態】
【００１８】
（第一の実施形態）
図１は、本考案の第一の実施形態に係るコンロ装置１００の斜視図であり、図２はコンロ装置１００の内部を示す部分的な斜視図である。
【００１９】
本実施形態に係るコンロ装置１００は、相互に対向する一対の第一の内面１０１（図２参照）と、相互に対向する一対の第二の内面１０２（図２参照）と、底面１０４とを備え、上面１０３（図１参照）が開口している筐体１１０と、筐体１１０の開口上面１０３の上方に配置されている焼き網１２０と、焼き網１２０を筐体１１０の開口上面１０３に対して上下方向に移動させる焼き網上下動機構１３０と、を備えている。
【００２０】
筐体１１０はスティール、アルミニウムその他の金属製の箱型形状をなしており、筐体１１０の内部に発熱源（炭火、燃料バーナーなど）を入れる。
【００２１】
焼き網１２０は金属製のネットからなり、焼き網１２０の上に加熱対象物（食材、鍋など）を置く。
【００２２】
焼き網上下動機構１３０は、一対の第一の内面１０１の各々に対応して設けられている一対の支持棒１３１と、一対の支持棒１３１の各々の下端を連結する連結部材１４０と、ハンドル部材１５０と、回動支点軸１６０と、から構成されている。
【００２３】
一対の支持棒１３１の各々は、第一の内面１０１に沿って筐体１１０の高さ方向に上下動可能であるように、かつ、一対の第二の内面１０２の間の方向において相互に隔置した状態で筐体１１０に対して支持されている。
【００２４】
具体的には、筐体１１０の上端には内側に向かって延びるフランジ部１１１が形成されており、フランジ部１１１には所定の間隔で二つの貫通孔１１２が形成されている。
【００２５】
また、一対の第一の内面１０１の各々には、Ｌ字型の取り付け部材１１３が固定的に取り付けられており、取り付け部材１１３には、フランジ部１１１の貫通孔１１２の位置に対応して、二つの貫通孔１１４が形成されている。すなわち、フランジ部１１１の貫通孔１１２の各々と取り付け部材１１３の貫通孔１１４の各々とは同一鉛直線上に位置している。
【００２６】
貫通孔１１２及び貫通孔１１４は支持棒１３１が通過できる程度の内径を有している。支持棒１３１は、その上端付近においてフランジ部１１１の貫通孔１１２に支持され、さらに、その下端付近において取り付け部材１１３の貫通孔１１４に支持されることにより、第一の内面１０１に沿って筐体１１０の高さ方向に上下動可能となっている。
【００２７】
一対の支持棒１３１の下端は、前述のように、連結部材１４０を介して相互に連結されている。このため、一対の支持棒１３１の各々が上下動を行う場合には、連結部材１４０を介して、同期して上下動を行う。
【００２８】
一対の支持棒１３１の各々はその上端において焼き網１２０を取り外し可能に支持している。具体的には、図１に示すように、筐体１１０の四隅において、一対の支持棒１３１の各々は焼き網１２０を支持している。
【００２９】
連結部材１４０には、一対の第二の内面１０２の間の方向に延びるＪ字型の補助部材１４１が固定的に接続されており、連結部材１４０と補助部材１４１とはＵ字を横向きにした形状をなしている。
【００３０】
ハンドル部材１５０は、一端１５１Ａが連結部材１４０に対して摺動可能である一対の第一部材と１５１、一対の第一部材１５１の他端１５１Ｂを相互に連結する第二部材１５２と、から構成されている。
【００３１】
ハンドル部材１５０は、全体として、コの字型をなしている。
【００３２】
一対の第一部材１５１の各々の一端１５１Ａは、Ｕ字をなしている連結部材１４０と補助部材１４１との間に形成されたギャップ１４２に嵌め込まれている。このため、一対の第一部材１５１の各々の一端１５１Ａはギャップ１４２に沿って、すなわち、連結部材１４０に沿って、ギャップ１４２の内部を摺動可能になっている。
【００３３】
回動支点軸１６０は一対の第一の内面１０１の間にわたって延びており、その両端において、一対の第一の内面１０１に支持されている。回動支点軸１６０は、一対の第一の内面１０１に対して回動可能であり、かつ、一対の第一の内面１０１に対して後述する所定の距離だけ垂直方向に移動可能である。
【００３４】
筐体１１０の一対の第二の内面１０２のいずれか一方には、筐体１１０の上下方向に直線状に延びる第一開口部１７１と、第一開口部１７１から水平方向に延びる３個の第二開口部１７２とからなる開口部１７０が形成されている。
【００３５】
３個の第二開口部１７２の各々は筐体１１０の高さ方向においてそれぞれ異なる高さに形成されている。
【００３６】
ハンドル部材１５０の第二部材１５２は筐体１１０の外部に位置している。ハンドル部材１５０の一対の第一部材１５１の各々は開口部１７０を介して筐体１１０の外部と内部とにわたって延びている。
【００３７】
さらに、ハンドル部材１５０の一対の第一部材１５１の各々は回動支点軸１６０に対して固定的に接続されている。例えば、一対の第一部材１５１の各々は回動支点軸１６０に対して溶接されている。
【００３８】
以上のような構造を有する本考案の第一の実施形態に係るコンロ装置１００の動作を以下に説明する。
【００３９】
本コンロ装置１００の使用者がハンドル部材１５０の第二部材１５２を持って、ハンドル部材１５０の一対の第一部材１５１を第一開口部１７１内において上下動させると、一対の第一部材１５１は回動支点軸１６０に固定的に連結されているため、回動支点軸１６０が回動するとともに、一対の第一部材１５１は回動支点軸１６０を中心として回動支点軸１６０の回りに時計方向または反時計方向に回動する。
【００４０】
すなわち、ハンドル部材１５０の一対の第一部材１５１を第一開口部１７１内において上昇させれば、一対の第一部材１５１は回動支点軸１６０を中心として時計方向に回動し、ハンドル部材１５０の一対の第一部材１５１を第一開口部１７１内において下降させれば、一対の第一部材１５１は回動支点軸１６０を中心として反時計方向に回動する。
【００４１】
ハンドル部材１５０の一対の第一部材１５１が回動支点軸１６０を中心として時計方向または反時計方向に回動するに伴い、一対の第一部材１５１の各々の一端１５１Ａはそれぞれ上昇または下降する。
【００４２】
一対の第一部材１５１の各々の一端１５１Ａは連結部材１４０と補助部材１４１との間に形成されているギャップ１４２の内部を摺動可能であるため、ハンドル部材１５０の一対の第一部材１５１が回動支点軸１６０を中心として時計方向または反時計方向に回動すると、一対の第一部材１５１の各々の一端１５１Ａがギャップ１４２の内部を摺動しつつ、一対の第一部材１５１の各々が連結部材１４０を、ひいては、連結部材１４０に連結されている一対の支持棒１３１を上昇または下降させる。
【００４３】
以上のように、本コンロ装置１００の使用者がハンドル部材１５０の第二部材１５２を持って、ハンドル部材１５０の一対の第一部材１５１を第一開口部１７１内において上昇または下降させると、一対の第一部材１５１の動きが各第一部材１５１の一端１５１Ａ、連結部材１４０及び一対の支持棒１３１を介して焼き網１２０に伝わり、焼き網がそれぞれ下降または上昇する。
【００４４】
本コンロ装置１００の使用者は、第一開口部１７１内の適当な位置において一対の第一部材１５１の各々を水平方向にスライドさせて、３個の第二開口部１７２の何れかに挿入することにより、一対の第一部材１５１の各々はその第二開口部１７２内に留まり、焼き網１２０はその第二開口部１７２に応じた高さに維持される。
【００４５】
具体的には、本コンロ装置１００の使用者が一対の第一部材１５１の各々を一番下の第二開口部１７２に挿入すると、焼き網１２０は最も高い位置に維持され、一番上の第二開口部１７２に挿入すると、焼き網１２０は最も低い位置に維持され、中間の第二開口部１７２に挿入すると、焼き網１２０は最も高い位置と最も低い位置との中間の位置に維持される。
【００４６】
すなわち、本コンロ装置１００の使用者は、３個の第二開口部１７２の何れかを選択することにより、選択した第二開口部１７２に応じた高さに焼き網１２０を維持することができる。
【００４７】
なお、回動支点軸１６０は、第一部材１５１の各々が第一開口部１７１と第二開口部１７２の端部との間を移動する距離（前述の「所定の距離」）だけ、一対の内面１０１に対して垂直方向に移動可能に構成されている。
【００４８】
本実施形態に係るコンロ装置１００によれば、使用者は片手でハンドル部材１５０の第二部材１５２を操作することが可能であるため、図４に示した従来のコンロ装置１とは異なり、片手で焼き網１２０を上下動させることができる。
【００４９】
なお、本実施形態に係るコンロ装置１００は上記の構造に限定されるものではなく、種々の改変が可能である。
【００５０】
例えば、本実施形態に係るコンロ装置１００においては、筐体１１０の内面１０２には３個の第二開口部１７２が形成されているが、第二開口部１７２の個数は３には限定されない。２以上の任意の数を選択することが可能である。
【００５１】
また、ハンドル部材１５０を構成する一対の第一部材１５１の一端１５１Ａは、連結部材１４０と補助部材１４１との間に形成されるギャップ１４２に嵌め込まれることにより、連結部材１４０に対して摺動可能であるようになっているが、他の構造により、一対の第一部材１５１の一端１５１Ａを連結部材１４０に対して摺動可能であるように構成することも可能である。
【００５２】
例えば、一対の第一部材１５１の一端１５１Ａをリング状に丸め、リング状の一端１５１Ａの中に連結部材１４０を通すことによっても、一対の第一部材１５１の一端１５１Ａを連結部材１４０に対して摺動可能であるように構成することができる。
【００５３】
また、本実施形態に係るコンロ装置１００においては、回動支点軸１６０は一対の第一の内面１０１の間を延びるものとして構成されているが、一対の第一の内面１０１の各々から、第一部材１５１の各々に連結するのに十分な距離だけ延びるように構成することも可能である。
【００５４】
本実施形態に係るコンロ装置においては、連結部材１４０にはＪ字型の補助部材１４１が固定的に接続されているが、必要に応じて、補助部材１４１を省略することが可能である。補助部材１４１を省略した場合には、第一部材１５１の一端１５１Ａは連結部材１４０の下面に沿って摺動しながら移動する。
【００５５】
（第二の実施形態）
図３は、本考案の第二の実施形態に係るコンロ装置２００の内部を示す部分的な斜視図である。
【００５６】
本実施形態に係るコンロ装置２００は、相互に対向する一対の第一の内面１０１と、相互に対向する一対の第二の内面１０２と、底面１０４とを備え、上面１０３（図１参照）が開口している筐体２１０と、筐体２１０の開口上面１０３の上方に配置されている焼き網１２０と、焼き網１２０を筐体２１０の開口上面１０３に対して上下方向に移動させる焼き網上下動機構２３０と、を備えている。
【００５７】
筐体２１０はスティール、アルミニウムその他の金属製の箱型形状をなしており、筐体２１０の内部に発熱源（炭火、燃料バーナーなど）を入れる。
【００５８】
焼き網１２０は金属製のネットからなり、焼き網１２０の上に加熱対象物（食材、鍋など）を置く。
【００５９】
焼き網上下動機構２３０は、一対の第一の内面１０１の各々に対応して設けられている支持棒２３１と、支持棒２３１が筐体２１０の第一の内面１０１に沿って上下動可能であるように支持棒２３１を筐体２１０に対して支持するブラケット２４０と、ハンドル部材２５０と、から構成されている。
【００６０】
筐体２１０の上端には内側に向かって延びるフランジ部１１１が形成されており、フランジ部１１１には貫通孔２１２が形成されている。支持棒２３１は、その上端付近において、貫通孔２１２に支持され、中央付近においてブラケット２４０に支持されることにより、筐体２１０の第一の内面１０１に沿って上下動可能であるようになっている。
【００６１】
各支持棒２３１はその上端において焼き網１２０を取り外し可能に支持している。
【００６２】
ハンドル部材２５０は、一端２５１Ａが支持棒２３１の下端において支持棒２３１に対して回動可能に接続されている一対の第一部材２５１と、一対の第一部材２５１の他端を相互に連結する第二部材２５２と、から構成されている。
【００６３】
ハンドル部材２５０は、全体として、コの字型をなしている。
【００６４】
筐体２１０の一対の第二の内面２０２のいずれか一方には、筐体２１０の上下方向に長い長円形の開口部２７０が形成されている。
【００６５】
ハンドル部材２５０の第二部材２５２は筐体２１０の外部に位置している。ハンドル部材２５０の一対の第一部材２５１の各々は開口部２７０を介して筐体２１０の外部と内部とにわたって延びている。
【００６６】
さらに、開口部２７０が形成されている筐体２１０の面の外側には、ハンドル用フック２８０が形成されている。
【００６７】
ハンドル用フック２８０は「コ」の字形状をなしており、下端において、筐体２１０の面に固定されている。上端は筐体２１０の面との間に隙間を開けた状態の自由端を形成している。
【００６８】
以上のような構造を有する本考案の第二の実施形態に係るコンロ装置２００の動作を以下に説明する。
【００６９】
本コンロ装置２００の使用者がハンドル部材２５０の第二部材２５２を持って、第二部材２５２を下方に押すと、ハンドル部材２５０の一対の第一部材２５１は第一開口部２７１の下端を支点として反時計方向Ａに回動する。第一部材２５１の一端２５１Ａは支持棒２３１に対して回動可能に接続されているため、支持棒２３１は上方に移動し、焼き網１２０を高い位置に押し上げる。
【００７０】
この後、ハンドル部材２５０の第二部材２５２（図３の破線で示す位置Ｕ）をハンドル用フック２８０の上端に引っ掛けることにより、第二部材２５２が支持棒２３１及び焼き網１２０の重さによって上方へ引っ張られることを防止する。これにより、支持棒２３１ひいては焼き網１２０は高い位置に維持される。
【００７１】
逆に、本コンロ装置２００の使用者がハンドル部材２５０の第二部材２５２を持って、第二部材２５２を上方に引くと、ハンドル部材２５０の一対の第一部材２５１は第一開口部２７１の上端を支点として時計方向Ｂに回動する。第一部材２５１の一端２５１Ａは支持棒２３１に対して回動可能に接続されているため、支持棒２３１は下方に移動し、焼き網１２０は低い位置、すなわち、筐体２１０のフランジ部１１１上に載る位置まで下降する。
【００７２】
この状態においては、ハンドル部材２５０の第二部材２５２は図３の位置Ｄにあり、第二部材２５２が図３の位置Ｕにある場合と異なり、第二部材２５２をその位置に保持しておく必要はない。
【００７３】
本実施形態に係るコンロ装置２００によれば、第一の実施形態に係るコンロ装置１００と同様に、使用者は片手でハンドル部材２５０の第二部材２５２を操作することが可能であるため、図４に示した従来のコンロ装置１とは異なり、片手で焼き網１２０を上下動させることができる。
【００７４】
さらに、本実施形態に係るコンロ装置２００は、第一の実施形態に係るコンロ装置１００と比較して、構造を簡略化することができる。
【００７５】
なお、本実施形態に係るコンロ装置２００においては、焼き網１２０を高い位置に維持するために、ハンドル用フック２８０を用いたが、ハンドル部材２５０の第二部材２５２を図３の位置Ｕに維持することができる手段であれば、他の任意の手段を用いることができる。
【図面の簡単な説明】
【００７６】
【図１】本考案の第一の実施形態に係るコンロ装置の斜視図である。
【図２】本考案の第一の実施形態に係るコンロ装置の内部を部分的に示す斜視図である。
【図３】本考案の第二の実施形態に係るコンロ装置の内部を部分的に示す斜視図である。
【図４】従来のコンロ装置の斜視図である。
【符号の説明】
【００７７】
１００  本考案の第一の実施形態に係るコンロ装置
１０１  第一の内面
１０２  第二の内面
１０３  上面
１１０  筐体
１１１  フランジ部
１１２  貫通孔
１１３  取り付け部材
１１４  貫通孔
１２０  焼き網
１３０  焼き網上下動機構
１３１  支持棒
１４０  連結部材
１４１  補助部材
１４２  ギャップ
１５０  ハンドル部材
１５１  第一部材
１５２  第二部材
１６０  回動支点軸
１７０  開口部
１７１  第一開口部
１７２  第二開口部
２００  本考案の第二の実施形態に係るコンロ装置
２３１  支持棒
２４０  ブラケット
２３０  焼き網上下動機構
２５０  ハンドル部材
２５１  第一部材
２５２  第二部材
２７０  開口部
２８０  ハンドル用フック
【図１】
0003131659.tif 000003
【図２】
0003131659.tif 000004
【図３】
0003131659.tif 000005
【図４】
0003131659.tif 000006